(57)【要約】  【課題】  光ディスク装置において限られた平面外形寸法内で所定の薄型化を可能にする技術の提供。  【解決手段】  光ピックアップのヘッド部を支点周りに回動させることで光ディスクの半径方向に移動させる構成とし、該回動の支点部を、光ディスクの外径より外側で、ディスクモータの回転中心軸から装置の前面パネル方向側またはトレイ引出し方向側に約６４×１０−３ｍ以内、該前面パネル方向または該トレイ引出し方向に直角な方向側に約６６×１０−３ｍ以内の固定位置に配する。【選択図】  図１
2006073082.tif 000002
【特許請求の範囲】
【請求項１】
光ディスクに対し光ピックアップにより情報の記録、再生のいずれか一方または両方を行う光ディスク装置であって、
上記光ディスクを該光ディスクと同軸状態で回転駆動するディスクモータと、
上記光ディスクの記録面にレーザ光を出射するとともに該記録面からの反射レーザ光を受光するヘッド部と、支点周りの回動により該ヘッド部を変位させるヘッド回動手段と、上記光ディスクの外径より外側で、上記ディスクモータの回転中心軸から装置の前面パネル方向側に約６４×１０−３ｍ以内、該前面パネル方向に直角な方向側に約６６×１０−３ｍ以内の固定位置に配され上記ヘッド回動手段を回動可能に支持する支点部とを有して成る光ピックアップと、
を備え、上記光ピックアップの上記ヘッド回動手段の回動により上記ヘッド部を、上記光ディスクの記録面に対し、ディスク半径位置が変化する方向に移動させる構成としたことを特徴とする光ディスク装置。
【請求項２】
光ディスクに対し光ピックアップにより情報の記録、再生のいずれか一方または両方を行う光ディスク装置であって、
上記光ディスクの記録面にレーザ光を出射するとともに、該記録面からの反射レーザ光を受光するとともに支点周りに回動するヘッド部と、上記光ディスクの記録面に対向して配され上記ヘッド部からの出射レーザ光を反射し該記録面に入射させる反射手段とを有して成る光ピックアップを備え、
上記ヘッド部の回動によりレーザ光を、上記光ディスクの記録面に対しディスク半径位置が変化する方向に移動させて照射する構成としたことを特徴とする光ディスク装置。
【請求項３】
光ディスクに対し光ピックアップにより情報の記録、再生のいずれか一方または両方を行う光ディスク装置であって、
上記光ディスクを装置内に搬入するとともに装置外に搬出するトレイと、
上記トレイに関し上記光ディスクと反対面側に配され、装置全体を支持するシャーシと、
上記トレイとともに移動し上記光ディスクを該光ディスクと同軸状態で回転駆動するディスクモータと、
上記光ディスクの記録面にレーザ光を出射するとともに該記録面からの反射レーザ光を受光するヘッド部と、支点周りの回動により該ヘッド部を変位させるヘッド回動手段と、上記光ディスクの外径より外側で上記ディスクモータに対し固定位置に配されかつ上記トレイとともに移動し上記ヘッド回動手段を回動可能に支持する支点部とを有して成る光ピックアップと、
を備え、上記ヘッド回動手段により上記ヘッド部を、上記光ディスクの記録面に対し、ディスク半径位置が変化する方向に移動させる構成としたことを特徴とする光ディスク装置。
【請求項４】
光ディスクに対し光ピックアップにより情報の記録、再生のいずれか一方または両方を行う光ディスク装置であって、
上記光ディスクを装置内に搬入するとともに装置外に搬出するトレイと、
上記トレイに関し上記光ディスクと反対面側に配され、装置全体を支持するシャーシと、
上記トレイとともに移動し上記光ディスクを該光ディスクと同軸状態で回転駆動するディスクモータと、
上記シャーシ側に固定され、ホストコンピュータとの電気接続を行うインターフェースコネクタと、
上記光ディスクの記録面にレーザ光を出射するとともに該記録面からの反射レーザ光を受光するヘッド部と、支点周りの回動により該ヘッド部を変位させるスイングアーム部と、上記光ディスクの外径より外側で、その中心が、上記ディスクモータの回転中心軸からトレイ引出し方向側に約６４×１０−３ｍ以内、該トレイ引出し方向に直角な方向で上記インターフェースコネクタ側に約６６×１０−３ｍ以内の位置にあって上記ディスクモータに対し固定位置に配されかつ上記トレイとともに移動し、上記スイングアーム部を回動可能に支持する支点部とを有して成る光ピックアップと、
を備え、上記スイングアーム部の回動により上記ヘッド部を、上記光ディスクの記録面に対し、ディスク半径位置が変化する方向に移動させる構成としたことを特徴とする光ディスク装置。
【請求項５】
上記光ピックアップの支点部は、上記トレイ上に設けられる構成である請求項３または請求項４に記載の光ディスク装置。
【請求項６】
上記光ピックアップの支点部は、上記トレイと上記シャーシとの間の位置に配される構成である請求項３または請求項４に記載の光ディスク装置。
【請求項７】
上記光ピックアップのヘッド部は、光ファイバによりレーザ光を導く構成である請求項１から４のいずれかに記載の光ディスク装置。
【請求項８】
装置の平面外形寸法が約１２７×１０−３ｍ×約１２８×１０−３ｍで、装着可能な光ディスクの最大直径が約１２０×１０−３ｍである請求項１から７のいずれかに記載の光ディスク装置。
【請求項９】
上記光ピックアップの支点部は、装着可能な光ディスクの最大外径と、該外径の接線のうち装置の前面パネル方向またはトレイ引出し方向に直角な第１の接線と、該第１の接線に直角で上記インターフェースコネクタ側の第２の接線とで囲まれる領域内に配された構成である請求項１から４のいずれかに記載の光ディスク装置。
【発明の詳細な説明】
【技術分野】
【０００１】
本発明は、光ディスク装置に係り、特に、装置の薄型化に対応可能な光ピックアップの構成と配置に関する。
【背景技術】
【０００２】
従来の光ディスク装置では、光ピックアップ技術として一般に、例えば図５に示すようなガイドシャフト方式のものが実用化されている。図５において、（ａ）は平面図、（ｂ）は、（ａ）におけるＡ−Ａ部の断面図である。図５において、装置全体を支持するシャーシ６０'に対しスライドして移動変位する移動部の基台としてのユニットメカ３５'に、主ガイドシャフト１２、副ガイドシャフト１３、ディスクモータ１７'、送りモータ１５、リードスクリュー部材１４の支持部などが固定され、トレイ２５'、前面パネル２６'も該ユニットメカ３５'側に設けられている。トレイ２５'は移動部内にあって、光ディスク３０を、装置内に搬入したり、装置外に搬出したりする。リードスクリュー部材１４は、送りモータ１５に結合され、該モータ１５により回転駆動される。光ピックアップ１０'は、ラック部１６によりリードスクリュー部材１４の表面のねじ部に係合されるとともに、主ガイドシャフト１２及び副ガイドシャフト１３にも係合されている。光ディスク３０が装置内に搬入され、記録または再生動作が行われる場合、光ピックアップ１０'は、リードスクリュー部材１４の回転によりそのねじ部から、ラック部１６を介して直線方向の移動力を受け、主ガイドシャフト１２及び副ガイドシャフト１３に案内されて光ディスクのディスク半径方向に移動する。１１は光ディスクの外径位置、１８は、シャーシ６０'に固定された回路基板（図示なし）と光ピックアップ１０'とを電気的に接続するフレキシブル基板、１９'は、上記移動部のトレイ２５'に関し光ディスク３０が載置される側を覆うトップケース、２０は、シャーシ６０'に固定されたインターフェースコネクタ、５０'は、上記移動部のトレイ２５'に関し光ピックアップ１０'が配される側を覆うボトムカバー、４０は、ユニットメカ３５'を覆うユニットカバーである。
【０００３】
上記従来構成では、光ピックアップ１０'の移動用機構として、主ガイドシャフト１２、副ガイドシャフト１３、リードスクリュー部材１４、ラック部１６、送りモータ１５などを用いているため、上記移動部及び装置全体の大幅薄型化を図ることが難しい。このための対策技術として、従来より、光ヘッド部をアーム上に設け、該アームを固定支点周りに回動させるいわゆるスイングアーム方式の構成が提案・検討されている。
【０００４】
上記提案されているスイングアーム方式の従来技術としては、例えば、特許第２６５７０３１号明細書（特許文献１）、特開２００２−１３３６９０号公報（特許文献２）、特開２０００−３５２２号公報（特許文献３）、特開２００１−１９５７４９号公報（特許文献４）などに記載されたものがある。特許第２６５７０３１号明細書には、光ディスク装置において、光ディスクが光学ヘッド装置（光ピックアップ）の高さ寸法に対応する部分に収まるようにするために、光学ヘッド装置として揺動型（スイングアーム方式）のものを用い、該揺動型（スイングアーム方式）光学ヘッド装置としては、ヘッド本体を揺動可能に支持する軸受を光ディスクより外側の部位に設け、ヘッド本体を揺動させる駆動手段を上記軸受に関し対物レンズと実質上反対側の部位に設け、該軸受及び該駆動手段の高さ内に装着状態の光ディスクの厚さが含まれるようにした構成が記載されている。特開２００２−１３３６９０号公報には、スイングアーム方式の光ピックアップ技術において、トラックスキューの影響を少なくするために、アームの長さを変えてリードインとリードアウトのときの角度差を小さくする構成が記載され、特開２０００−３５２２号公報には、光ディスク装置の小型・低コスト化のために、光学ヘッドのスイングアームを、歯車を介してロータリーモータで駆動する構成が記載されている。また、特開２００１−１９５７４９号公報には、回動アーム型光学ヘッド装置において信号劣化防止と小型化とを確保するために、回動アーム（スイングアーム）の回動中心と光学スポットを結ぶ線に対し、光を対物レンズに反射させるミラーへ入射する区間の光の光軸方向を所定角傾けるとした構成が記載されている。
【０００５】
【特許文献１】特許第２６５７０３１号明細書
【特許文献２】特開２００２−１３３６９０号公報
【特許文献３】特開２０００−３５２２号公報
【特許文献４】特開２００１−１９５７４９号公報
【発明の開示】
【発明が解決しようとする課題】
【０００６】
上記従来技術のうち、特許第２６５７０３１号明細書に記載の技術は、装置本体内に光ディスクや光ピックアップを固定的に（搬入・搬出をしない状態で）設ける構成または光ピックアップは装置本体内に設け、光ディスクのディスクカートリッジを装置本体に搬入・搬出する構成であって、かつ、装置の平面外形寸法として光ディスクの直径の約１．５〜１．７倍が許容される場合であり、本願発明が適用対象とする光ディスク装置構成、例えば、装置の平面外形寸法が約１２７×１０−３ｍ×約１２８×１０−３ｍで、各辺長が装着可能な最大光ディスク寸法約１２０×１０−３ｍの１．０６倍程度となる構成に対しては適用が難しい。特開２００２−１３３６９０号公報記載の技術は、スイングアームの長さを変える構成であるため、光ピックアップの構成が複雑化するおそれがある。特開２０００−３５２２号公報記載の技術は、光ピックアップのスイングアームに連続した部分を歯車によって駆動する構成のため、装置全体の平面外形寸法も増大し易く、装置の平面外形寸法が、装着可能な最大光ディスク寸法の１．０６倍程度となる構成に対しては適用が難しい。また、特開２００１−１９５７４９号公報記載の技術は、光ディスクのディスク半径領域内に回動アーム（スイングアーム）の回動支点を設けるものであるため、装置の薄型化を図りにくいと考えられる。
本発明の課題点は、上記従来技術の状況に鑑み、光ディスク装置において、限られた平面外形寸法下で所定の薄型化を可能にすることである。
【課題を解決するための手段】
【０００７】
上記課題点を解決するために、本発明では、光ディスク装置において、光ピックアップとして、光ヘッド部を支点周りに回動させるスイングアーム部などのヘッド回動手段を有し、該ヘッド回動手段を回動可能に支持する支点部を、光ディスクの外径より外側で、ディスクモータの回転中心軸から装置の前面パネル方向側またはトレイ引出し方向側に約６４×１０−３ｍ以内かつ該前面パネル方向または該トレイ引出し方向に直角な方向側に約６６×１０−３ｍ以内の固定位置に配する。スイングアーム部を有しないヘッド回動手段を用いる方式では、基本的に、光ディスクの記録面対向位置に、光ヘッド部からの出射レーザ光を反射し光ディスクの記録面に入射させる反射手段を設ける。
【発明の効果】
【０００８】
本発明によれば、光ディスク装置を所定の平面外形寸法内で薄型化することができる。
【発明を実施するための最良の形態】
【０００９】
以下、本発明を実施するための最良の形態につき、図面を用いて説明する。
図１〜図３は、本発明の第１の実施例の説明図である。図１は、本発明の第１の実施例としてのスイングアーム方式の光ディスク装置の構成例図、図２は、図１の光ディスク装置における光ピックアップ周辺の平面構成図、図３は、図２の構成の断面構成図である。本第１の実施例は、装着可能な光ディスクの最大外径が約１２０×１０−３ｍ、装置の平面外形寸法が約１２７×１０−３ｍ×約１２８×１０−３ｍである場合である。図１〜図３はいずれも、光ディスクが装置内に搬入されている状態時の装置構成を示す。
【００１０】
図１、図２において、１は光ディスク装置、１０は、光ディスク（図示なし）の情報記録面にレーザ光を照射したり、反射レーザ光を受光したりして、該情報記録面に対し信号の記録や再生を行う光ピックアップ、１０１は、光ピックアップ１０内において光ディスクの記録面にレーザ光を出射するとともに該記録面からの反射レーザ光を受光するヘッド部、１０１ａは、ヘッド部１０１内の対物レンズ、１０２は、支点周りの回動により該ヘッド部１０１を回動変位させるヘッド回動手段としてスイングアーム部、１０３はピックアップ本体部、１０４は、スイングアーム部１０２及びピックアップ本体部１０３を回動可能に支持する支点部、１０４ｃは、支点部１０４の回動中心（以下、支点中心という）、１０５ａ、１０５ｂは、スイングアーム部１０２を介してヘッド部１０１内の対物レンズ１０１ａの光ディスク記録面に対する位置を変え、フォーカス制御やトラッキング制御を可能にするアクチュエータ、１０５ｃは、記録または再生時に、スイングアーム部１０２を回動変位させるためにピックアップ本体部１０３に回転力を供給する駆動部、１１は光ディスクの外径位置、１７は、光ディスクを同軸状態で回転駆動するディスクモータ、１７ｃは、ディスクモータ１７の回転中心軸の位置、２５は、光ディスクを装置内に搬入するとともに装置外に搬出するトレイ、２５ａは、トレイ２５の面内の貫通孔、２０は、装置全体を支持するシャーシ（図示なし）側に固定され、外部のホストコンピュータ（図示なし）との電気接続を行うインターフェースコネクタ、２６は前面パネル、Ｄは、装着可能な光ディスクの最大外径（直径）（約１２０×１０−３ｍ）、ｄ１は、トレイ引出し方向（光ディスクを装置から搬出する時、トレイ２５は図の下方側に向けて引出される）側におけるディスクモータ１７の回転中心軸１７ｃと光ピックアップ１０の支点部１０４の支点中心１０４ｃとの間の距離、ｄ２は、トレイ引出し方向と直角な方向におけるディスクモータ１７の回転中心軸１７ｃと光ピックアップ１０の支点部１０４の支点中心１０４ｃとの間の距離、Ｌ０は、装置のトレイ引出し方向における平面外形寸法（約１２７×１０−３ｍ）、Ｗは、装置のトレイ引出し方向と直角な方向における平面外形寸法（約１２８×１０−３ｍ）である。シャーシ（図示なし）側にあってインターフェースコネクタ２０に近接した平面部には回路基板（図示なし）が配され、該回路基板上には、ディスクモータ１７や駆動部１０５ｃを駆動するための駆動回路、装置全体の制御手段としてのマイコン（図示なし）などが配されているものとする。アクチュエータ１０５ａ、１０５ｂとしては、例えば、電磁力を利用する構成であってもよいし、圧電などを利用する構成であってもよい。
【００１１】
装置全体を支持するシャーシ（図示なし）に対しては、光ピックアップ１０、ディスクモータ１７、トレイ２５、前面パネル２６などを含んで成る移動部がスライドして移動変位するようになっている。該移動部には基台としてのユニットメカ（図示なし）が設けられ、ディスクモータ１７、トレイ２５の支持部（図示なし）などは、該ユニットメカに固定される。光ピックアップ１０の支点部１０４は、トレイ２５上の固定位置に設けられる。
【００１２】
光ピックアップ１０の支点部１０４の支点中心１０４ｃは、光ディスクの外径より外側で、上記ディスクモータ１７の回転中心軸１７ｃからトレイ引出し方向側に約６４×１０−３ｍ以内すなわちｄ１が約６４×１０−３ｍ以内、かつ、該トレイ引出し方向に直角な方向でインターフェースコネクタ側２０に約６６×１０−３ｍ以内すなわちｄ２が約６６×１０−３ｍ以内の位置にあって、ディスクモータ１７に対し固定位置に配される。本実施例構成ではさらに、該支点中心１０４ｃは、装着可能な光ディスクの最大外径約１２０×１０−３ｍと、該外径の接線のうちトレイ引出し方向に直角な第１の接線２００と、該第１の接線２００に直角でインターフェースコネクタ２０側の第２の接線３００とで囲まれる領域４００内に配される。
【００１３】
図３は、上記図２の構成の断面構成図である。
図３において、１９は、トレイ２５に関し光ディスクが載置される側を覆うトップケース、３０は装着された光ディスク、３５はユニットメカ、５０は、トレイ２５に関し光ピックアップ１０が配される側を覆うボトムカバー、６０は装置全体を支持するシャーシである。他の符号は、上記図１、図２の場合と同様である。光ピックアップ１０、ディスクモータ１７、トレイ２５、ユニットメカ３５、トップケース１９及びボトムカバー５０は、光ディスク３０の搬入・搬出時にシャーシ６０に対しスライドして移動する移動部を形成する。光ピックアップ１０の支点部１０４は、装置の厚さ方向においてトレイ２５とシャーシ６０との間の位置に配される。本実施例では、装置の厚さ寸法ｔは９×１０−３ｍ以内とされる。
【００１４】
上記図１〜図３の構成において、例えば記録動作を行う場合、装置内に搬入された光ディスク３０がディスクモータ１７により所定速度で回転駆動され、光ピックアップ１０のヘッド部１０１内の対物レンズ１０１ａがアクチュエータ１０５ａ、１０５ｂにより所定位置となるように自動調整される。該状態でレーザ駆動回路（図示なし）に記録電流が流され、ヘッド部１０１内のレーザダイオード（図示なし）で発生したレーザ光が対物レンズ１０１ａを通して該ヘッド部１０１から出射され、該出射レーザ光がトレイ２５の貫通孔２５ａを通して光ディスク３０の記録面に照射されて情報の記録が行われる。このとき、光ピックアップ１０のスイングアーム部１０２は、駆動部１０５ｃにより上記ヘッド部１０１を、光ディスク３０に対し対物レンズ１０１ａのディスク半径位置が変化する方向に移動させる。再生動作時には、光ディスク３０の記録面からの反射レーザ光が対物レンズ１０１ａを通してヘッド部１０１により受光され、電気信号に変換され、再生信号として復調される。
【００１５】
上記第１の実施例によれば、光ピックアップ１０の移動機構としての主ガイドシャフト、副ガイドシャフト、リードスクリュー部材などが不要となるため、移動部及び光ディスク装置１の、限られた平面外形寸法内での所定レベルの薄型化が可能となり、例えば、装着可能な光ディスク３０の最大外径（直径）が約１２０×１０−３ｍ、装置の平面外形寸法が約１２７×１０−３ｍ×約１２８×１０−３ｍの光ディスク装置の場合にも、装置の厚さ寸法を９．０×１０−３ｍ以下とすることが可能となる。
なお、上記光ディスク装置１は、光ディスク３０として、外径（直径）が約１２０×１０−３ｍ以外のものでこれより小径の例えば外径（直径）約８０×１０−３ｍのものも装着可能であるとする。
【００１６】
また、上記図１〜図３に示した実施例構成では、ヘッド部１０１内の対物レンズ１０１ａを、ピックアップ本体部１０３の外周側に設けたアクチュエータ１０５ａ、１０５ｂにより、スイングアーム部１０２を介して所定の位置となるように自動調整する構成としたが、これに限定されず、例えば、アクチュエータを対物レンズ１０１ａと同様、ヘッド部１０１内に設け、ヘッド部１０１内で該アクチュエータにより対物レンズ１０１ａの位置を自動調整するようにしてもよいし、または、対物レンズ１０１ａ及びアクチュエータを、ヘッド部１０１内には設けずに、スイングアーム部１０２側やピックアップ本体部１０３側などに設け、ヘッド部１０１内には、例えばレーザ光の光路方向を変更する反射手段としてのミラー等を設ける構成としてもよい。ヘッド部１０１内に対物レンズ１０１ａ及びアクチュエータを設ける構成では、対物レンズ１０１ａに対し近接した位置にアクチュエータを配することができるため、対物レンズ１０１ａの位置の制御性を高められる。また、対物レンズ１０１ａ及びアクチュエータをヘッド部１０１内に設ける構成において、該対物レンズ１０１ａ及びアクチュエータを、光路方向変更用のミラーよりも光源側に配し、対物レンズ１０１ａから出射したレーザ光を該ミラーで反射させて光路変更し光ディスクの記録面に照射するとした場合には、ヘッド部１０１の薄型構成化が容易となる。また、対物レンズ１０１ａ及びアクチュエータをヘッド部１０１内に設けない構成では、該ヘッド部１０１の小型化を図ることができる。
【００１７】
また、光ピックアップとしては、例えば光ファイバなどをヘッド部やレーザ光伝送部などに用いる構成であってもよい。該光ファイバを用いる構成の場合、例えば、レーザ光集束用のレンズをスイングアーム部１０２側やピックアップ本体部１０３側などに設け、該レンズから出射したレーザ光を、光ファイバによりヘッド部１０１のレーザ光出射部に導き光ディスクの記録面に照射する。ヘッド部１０１としては例えば、上記レーザ光出射部が、光ディスクの回転により発生する空気流に基づく動圧で該光ディスクの記録面から数ミクロン〜数十ミクロン浮上した状態となる構成としてもよい。
【００１８】
さらに、上記図１〜図３に示した第１の実施例では、光ディスク３０がトレイ２５によって装置に搬入・搬出される構成の光ディスク装置１の場合につき説明したが、この他、本発明は、トレイ２５や該トレイ２５を含む移動部を用いない構成の光ディスク装置に対しても適用可能であり、この場合には、実施例は、例えば図１〜図３においてトレイ２５を備えない構成とされ、その説明は、上記述べた図１〜図３の説明からトレイ２５及びそれを含む移動部の説明部分を除いた内容のものとされる。すなわち、この場合（トレイ２５や該トレイ２５を含む移動部を用いない構成の場合）の発明は、光ディスク装置において、スイングアーム方式の光ピックアップとして、スイングアーム部を回動可能に支持する支点部を、光ディスクの外径より外側で、ディスクモータの回転中心軸から装置の前面パネル方向側に約６４×１０−３ｍ以内、該前面パネル方向に直角な方向側に約６６×１０−３ｍ以内の固定位置に配した構成となる。上記支点部はさらに、装着可能な光ディスクの最大外径約１２０×１０−３ｍと、該外径の接線のうち前面パネル方向に直角な第１の接線と、該第１の接線に直角でインターフェースコネクタ側の第２の接線とで囲まれる領域内に配されるようにしてもよい。また、光ピックアップとしては、例えば光ファイバなどをそのヘッド部や光伝送部などに用いる構成であってもよいし、また、光ディスク装置としては、光ディスク３０として、外径（直径）が約１２０×１０−３ｍ以外のものでこれより小径のもの例えば外径（直径）約８０×１０−３ｍのものも装着可能であるとする。
【００１９】
図４は、本発明の第２の実施例の説明図で、（ａ）は平面図、（ｂ）は側面図である。本第２の実施例は、スイングアームを用いずにヘッド部を支点周りに回動させる方式の光ディスク装置の例である。
図４において、１１０は、光ピックアップ内において光ディスク３０の記録面にレーザ光を出射するとともに該記録面からの反射レーザ光を受光するヘッド部、５００は、ヘッド部１１０からの出射レーザ光や光ディスク３０の記録面側に反射したり、該記録面からの反射レーザ光を該ヘッド部１１０側に反射したりする反射手段としての固定ミラーである。他の符号及び装置の平面外形寸法等は上記第１の実施例の場合（図１〜図３）と同様であるとする。支点部１０４は、ピックアップ本体部１０３を回動可能に支持する。ヘッド部１１０は、ヘッド回動手段としてのピックアップ本体部１０３内に設けられ、ピックアップ本体部１０３とともに支点中心１０４ｃ周りに回動可能な構成となっている。ヘッド部１１０内には、上記図１〜図３に示す第１の実施例または上記説明したその変形構成例の場合と同様、対物レンズ、アクチュエータ、光路変更用ミラーの一部または全部を備える。支点部１０４は、光ディスク装置１が、光ディスクの搬入・搬出用のトレイを有する構成の場合は、該トレイ上の固定位置に設けられ、光ディスク装置１が、光ディスクの搬入・搬出用のトレイを有しない構成の場合は、装置基台としてのシャーシ側に固定される。該支点部１０４の支点中心１０４ｃは、光ディスク装置１内において上記第１の実施例で説明したと同様の位置に配される。トレイを有する構成の場合、該支点部１０４はまた、装置の厚さ方向において該トレイとシャーシとの間の位置に配されるとする。固定ミラー５００は、光ディスク３０の記録面に対し半径方向に連続した反射面を有している。光ディスク装置全体の厚さ寸法は、本第２の実施例の場合も９×１０−３ｍ以内とされる。
【００２０】
上記構成において、例えば記録動作を行う場合、装置内に搬入された光ディスク３０がディスクモータ１７により所定速度で回転駆動され、光ピックアップのヘッド部１１０内の例えば対物レンズ（図示なし）がアクチュエータ（図示なし）により所定の位置となるように自動調整される。該状態でレーザ駆動回路（図示なし）に記録電流が流され、例えばピックアップ本体部１０３内のレーザダイオード（図示なし）からレーザ光が出射され、該出射レーザ光がヘッド部１１０内の対物レンズから固定ミラー５００に向かって出射される。該出射レーザ光は該固定ミラー５００で反射され光路方向を変更されて光ディスク３０の記録面に照射され、情報の記録が行われる。このとき、上記ヘッド部１１０は、駆動部（図示なし）によりピックアップ本体部１０３が支点中心１０４ｃ周りに回動されることにより、該ピックアップ本体部１０３といっしょに該支点中心１０４ｃ周りに回動する。このため、ヘッド部１１０内の対物レンズから出射するレーザ光の固定ミラー５００上のディスク半径方向入射位置が変化し、該固定ミラー５００からの反射レーザ光が、光ディスク３０の記録面に対してはディスク半径位置が変化するように照射される。再生動作時には、光ディスク３０の記録面からの反射レーザ光が固定ミラー５００で反射して光路方向を変更され、ヘッド部１１０に入射し対物レンズ１０１ａを通して受光され、その後電気信号に変換され、再生信号として復調される。
【００２１】
上記第２の実施例によれば、上記第１の実施例の場合と同様、光ディスク装置１において限られた平面外形寸法内での所定レベルの薄型化が可能となり、例えば、装着可能な光ディスク３０の最大外径（直径）が約１２０×１０−３ｍ、装置の平面外形寸法が約１２７×１０−３ｍ×約１２８×１０−３ｍの光ディスク装置の場合にも、装置の厚さ寸法を９．０×１０−３ｍ以下とすることが可能となる。特に、本実施例では、スイングアーム部が不要となるため、光ピックアップを簡易かつ小型の構成とすることができ、記録または再生時におけるヘッド部の即応性の改善等を図ることができる。
なお、上記第２の実施例における光ディスク装置１も、光ディスク３０として、外径（直径）が約１２０×１０−３ｍ以外のものでこれより小径のもの例えば外径（直径）約８０×１０−３ｍのものも装着可能であるとする。
【００２２】
また、光ピックアップとしては、例えば光ファイバなどをヘッド部１１０内またはピックアップ本体部１０３内などに用いる構成であってもよい。
【図面の簡単な説明】
【００２３】
【図１】本発明の第１の実施例としての光ディスク装置の構成例図である。
【図２】図１の光ディスク装置における光ピックアップ周辺の平面構成図である。
【図３】図２の構成の断面構成図である。
【図４】本発明の第２の実施例としての光ディスク装置の構成例図である。
【図５】従来の光ディスク装置の構成例図である。
【符号の説明】
【００２４】
１…光ディスク装置、
１０…光ピックアップ、
１０１、１１０…ヘッド部、
１０１ａ…対物レンズ、
１０２…スイングアーム部、
１０３…ピックアップ本体部、
１０４…支点部、
１０４ｃ…支点中心、
１０５ａ、１０５ｂ…アクチュエータ、
１０５ｃ…駆動部、
１１…光ディスク外径位置、
１７…ディスクモータ、
１７ｃ…ディスクモータ回転中心軸位置、
１９…トップケース、
２０…インターフェースコネクタ、
２５…トレイ、
２５ａ…貫通孔、
２６…前面パネル、
３５…ユニットメカ、
５０…ボトムカバー、
６０…シャーシ、
５００…固定ミラー。
【図１】
2006073082.tif 000003
【図２】
2006073082.tif 000004
【図３】
2006073082.tif 000005
【図４】
2006073082.tif 000006
【図５】
2006073082.tif 000007